(57)【特許請求の範囲】
【請求項１】
複数のフィルタ手段（ＬＰ；ＬＰ１〜３）を含み、各フィルタ手段が所定のフィルタリング次数に従って動作する少なくとも１つのリアクティブフィルタ素子（Ｌ１１〜２２）を含むと共に第１のフィルタ・ポート（ＬＯ）及び第２のフィルタ・ポート（ＬＩ）とを有し、前記第１のフィルタ・ポート（ＬＯ）が第１の端子（ＬＯａ）及び第２の端子（ＬＯｂ）を含み、前記第２のフィルタ・ポート（ＬＩ）が第３の端子（ＬＩａ）及び第４の端子（ＬＩｂ）を含み、さらに共通ポート（ＬＩ１）を有し、すべての前記フィルタ手段の第２のフィルタ・ポートが、前記共通ポート（ＬＩ１）に相互接続されているフィルタ構成（ＦＡ）であって、前記フィルタ手段（ＬＰ；ＬＰ１〜３）の少なくとも１つ（ＬＰ）が、前記フィルタ手段を介して与えられた電力のパラメータを感知すると共に前記所定のフィルタリング次数を変更する第２のリアクティブフィルタ素子（Ｃ）を挿入する挿入手段（ＳＷ）を制御するように構成された感知手段（ＳＣ）を更に含み、
前記第１のリアクティブフィルタ素子（Ｌ１１〜２２）が前記第１のフィルタ・ポートと前記第２のフィルタ・ポートの間に結合され、前記第２のリアクティブフィルタ素子（Ｃ）が前記第１の端子（ＬＯａ）及び前記第２の端子（ＬＯｂ）の間に結合されており、
前記感知手段（ＳＣ）が、前記第１のフィルタ・ポート（ＬＯ）と前記第２のフィルタ・ポート（ＬＩ）との間に結合された電流感知手段であり、且つ前記フィルタ手段（ＬＰ）を流れる電流を、前記フィルタ構成へ与えられた電力の前記パラメータとして感知するように構成されたことを特徴とするフィルタ構成。
【請求項２】
前記第１のリアクティブフィルタ素子（Ｌ１１〜２２）が第１のリアクティブタイプであり、前記第２のリアクティブフィルタ素子（Ｃ）が前記第１のリアクティブタイプとは異なる第２のリアクティブタイプであり、前記挿入手段が前記第１のリアクティブフィルタ素子を前記第２のリアクティブフィルタ素子へ結合するように構成された電気スイッチ（ＳＷ）を含むことを特徴とする、請求項１に記載のフィルタ構成。
【請求項３】
前記フィルタ構成が低域フィルタ構成であり、前記第１のリアクティブフィルタ素子がインダクタンス（Ｌ１１〜２２）を含み、前記第２のリアクティブフィルタ素子がキャパシタンス（Ｃ）を含み、前記感知手段（ＳＣ）が前記第１のフィルタ・ポート（ＬＯ）と前記第２のフィルタ・ポート（ＬＩ）との間で前記第１のリアクティブフィルタ素子と直列に接続され、前記挿入手段の電気スイッチ（ＳＷ）が前記第１の端子（ＬＯａ）と前記第２の端子（ＬＯｂ）との間で前記第２のリアクティブフィルタ素子と直列に結合されていることを特徴とする、請求項２に記載のフィルタ構成。
【請求項４】
前記フィルタ構成が低域フィルタ構成であり、
前記第１のリアクティブフィルタ素子が第１の変圧器（Ｔ１）及び第２の変圧器（Ｔ２）を含み、
前記第２のリアクティブフィルタ素子がキャパシタンス（Ｃ）を含み、
前記感知手段（ＳＣ）が前記第１のフィルタ・ポート（ＬＯ）と前記第２のフィルタ・ポート（ＬＩ）との間で前記第１の変圧器及び前記第２の変圧器と直列に接続され、
前記挿入手段の電気スイッチ（ＳＷ）が前記第１の端子（ＬＯａ）と前記第２の端子（ＬＯｂ）との間で前記第２のリアクティブフィルタ素子と直列に結合されていることを特徴とする、請求項２に記載のフィルタ構成。
【請求項５】
前記第１の端子（ＬＯａ）が、前記第１の変圧器（Ｔ１）の第１の巻線（Ｌ１１）、前記感知手段（ＳＣ）、及び前記第２の変圧器（Ｔ２）の第１の巻線（Ｌ２１）との直列接続を介して前記第３の端子（ＬＩａ）へ結合され、
前記第２の端子（ＬＯｂ）が前記第１の変圧器（Ｔ１）の第２の巻線（Ｌ１２）と前記第２の変圧器（Ｔ２）の第２の巻線（Ｌ２２）の直列接続を介して前記第４の端子（ＬＩｂ）に結合され、
直列結合された電気スイッチ（ＳＷ）と前記第２のリアクティブフィルタ素子（Ｃ）とが、前記感知手段（ＳＣ）及び前記第２の変圧器（Ｔ２）の第１の巻線（Ｌ２１）の接合点と、前記第１の変圧器（Ｔ１）の第２の巻線（Ｌ１２）及び前記第２の変圧器（Ｔ２）の第２の巻線（Ｌ２２）の接合点との間に接続されていることを特徴とする、請求項４に記載のフィルタ構成。
【請求項６】
前記フィルタ構成（ＦＡ）の前記共通ポート（ＬＩ１）が、非対称型加入者線ディジタル（ＡＤＳＬ）伝送方式のような電気通信方式の電気通信線（ＴＰ）へ接続され、普通電話サービス（ＰＯＴＳ１〜ＰＯＴＳ３）加入者セットが前記第１のフィルタ・ポート（ＬＯ１〜ＬＯ３）へ接続されていることを特徴とする、請求項５に記載のフィルタ構成。
【請求項７】
前記感知手段（ＳＣ）が、感知された電流が所定の値を超えているかどうかを検出し、次に前記挿入手段を制御して、前記電気スイッチ（ＳＷ）を閉止するように構成されたことを特徴とする、請求項６に記載のフィルタ構成。
【請求項８】
前記感知手段（ＳＣ）が電流感知器として使用される継電器によって構成されていることを特徴とする、請求項１に記載のフィルタ構成。
【発明の詳細な説明】
【０００１】
【発明の属する技術分野】
本発明は、複数のフィルタ手段を含み、各フィルタ手段が所定のフィルタ次数に従って動作する少なくとも１つのリアクティブフィルタ素子を含むと共に第１のフィルタ・ポートと第２のフィルタ・ポートとを有し、すべてのフィルタ手段の第２のフィルタ・ポートがフィルタ構成の共通ポートに相互接続されているフィルタ構成に関する。
【０００２】
【従来の技術】
そのようなライン・フィルタ構成は当技術分野で既知であり、例えば、共通入力ポートに接続された装置から幾つかの装置を分離するために使用される。そのようなフィルタ構成の重要な応用例は非対称型加入者線ディジタル（ＡＤＳＬ）伝送方式、及びその派生方式、例えばＨＤＳＬ、ＶＤＳＬ、などに見出される。周知のように、これらの方式は伝統的な銅撚り対電気通信線上で広帯域サービスを提供し、それによってユーザはその構内にファイバが接続されるのを待たなくても、これらのサービスを利用することができる。
【０００３】
今日のＡＤＳＬ方式は、同一の電気通信線の上で高速ＡＤＳＬ信号と普通の電話サービス（ＰＯＴＳ）機器用の低速電話又は音声信号とを組み合わせる。電気通信線の各々の端部、即ち顧客構内側と中央局側で、これらの信号はいわゆる「スプリッタ」によって分離される。スプリッタは高域部分と低域部分とを含む両用フィルタである。高域部分はＡＤＳＬモデムに組み込まれることが多く、電気通信線上を伝送される信号の低速又は低周波成分を除去するように構成されている。他方、低域部分は信号からすべての高周波成分を除去するように構成されている。従って、これらの高周波成分は、電気通信線とＰＯＴＳ機器との間を伝送しないように、この低域部分に含まれるリアクティブフィルタ素子によって阻止される。
【０００４】
顧客構内側では、ＡＤＳＬ接続のトポロジは、低域部分又はフィルタ手段が家庭の入口点、又は少なくとも家庭内にあるすべての既存のＰＯＴＳ機器の前に置かれることを要求する。その場合、既存のＰＯＴＳ機器はＡＤＳＬモデムと並列に現れる。低域部分はシールドとして働き、ＡＤＳＬモデムが信号電流、オフフック及びオンフック時のＤＣ電流の変化、並びにＰＯＴＳのダイアル・パルスを含む関連ＡＣ及びＤＣ過渡現象によって障害されないようにＡＤＳＬモデムを保護する。
【０００５】
ＡＤＳＬモデムは、同じ場所で電話街路線、即ち、電気通信線にリンクされる。その場所では、、ＡＤＳＬモデムを電気通信線に接続するために、既存の家庭配線に電線を追加接続しなければならない不利益がある。ＡＤＳＬモデムの接続線を追加しないようにするため、スプリッタの低域部分を有しないＡＤＳＬモデムを既存の電話の差し込む口に取り付けることが提案される。その場合、ＡＤＳＬモデムは全く保護されず、ＰＯＴＳ信号のすべての障害を経験する。オフフック／オンフックの移行時の障害は電圧及び電流事象によって生じるだけではなく、ＡＤＳＬモデムの１００オーム・インピーダンスと並列に未知のインピーダンスが突然加わるインピーダンス変化によって生じる。この点で、回転式ダイアル・パルスは最悪のものである。なぜなら、インピーダンスが、ダイアルしている間常に変化するからである。その結果、一度ＰＯＴＳがオフフックに移行した後に定常状態に置かれると、モデムに接続されたＡＤＳＬトランシーバは等価器及びオプションの関連するエコー・キャンセラーを保留しなければならない。更に、ＰＯＴＳ機器の非直線性は電話の受話口で高い雑音として聞こえる線路信号の変調を生じ、モデム、ファックス、及び応答機械を中断することもある。
【０００６】
これら及び他のすべての障害の負の効果を減少するために、また幾つかのＰＯＴＳ機器が電気通信線に接続される場合には、各ＰＯＴＳ機器をＡＤＳＬ信号から遮蔽する個々の低域保護フィルタが設けられなければならない。
【０００７】
単一のフィルタが使用されるとき、ＰＯＴＳ及びＡＤＳＬモデムを遮蔽する必要性を最適に満たすためには、そのようなフィルタは複雑なものとなる。しかし、そのような個々の低域保護フィルタを並列に接続するとき、フィルタは単一のリアクティブ素子からのみ構成することができるが、これはＡＤＳＬ上でＰＯＴＳ機器のオンフック／オフフック動作の影響を除去するには必ずしも十分でない場合が多い。更に、オフフックされたＰＯＴＳ機器は依然としてＡＤＳＬ信号によって乱される。これは低い次数のフィルタ手段によって生じる。他方では、高次のフィルタ手段は複数の又は一群のＰＯＴＳ機器上では並列に置くことはできない。実際、高次の各フィルタ手段は並列の容量性インピーダンスを含み、これらすべての容量値には加算される。これは大きな等価的なブリッジ・タップが電話線上に作り出され、これは反射減衰量の大きな低減を生じる。従って、ユーザはその電話で著しく大きくなった側音を経験する。これは許容されない。
【０００８】
【発明が解決しようとする課題】
本発明の目的は、ＰＯＴＳ機器のオンフック／オフフック動作の影響及び他の障害をより良好に除去すると共に、並列に置かれた幾つかのフィルタ手段の相互障害を低減又は避けるために、改善された個々のフィルタ手段を有するフィルタ構成を提供することである。その場合、個々のフィルタ手段はオフフックされて、正確にその状態で更なる遮蔽を必要とするＰＯＴＳ機器を、特別に保護を追加する。
【０００９】
【課題を解決するための手段】
本発明に従えば、この目的は、前記フィルタ手段の少なくとも１つが前記フィルタ手段を介して与えられた電力のパラメータを感知すると共に前記所定のフィルタ次数を変更する第２のリアクティブフィルタ素子を挿入する挿入手段を制御するように構成された感知手段を含むことによって実現される。
【００１０】
このようにして、オフフックのような動作は感知手段によって検出される。その結果、感知手段は動作が検出された装置に関連したフィルタ手段へ追加のリアクティブフィルタ素子を挿入する。この追加のリアクティブフィルタ素子はフィルタ手段のトポロジを変更し、それによって、これらフィルタ手段のフィルタ次数が一時的に増大される。そのようにして、フィルタ手段は、オフフックされて正確にその状態で前述したように更なる遮蔽を必要とするＰＯＴＳ装置を、特別に保護を追加する。
【００１１】
これはアクティブのＰＯＴＳ機器と直列の単一フィルタ手段を変更するだけである。他のフィルタ手段は、オンフックされた機器を遮蔽しながら、前の低フィルタ次数を保つ。すべての低次フィルタ手段と高次保護フィルタへ変化した単一のフィルタ手段との並列結合によって、ＰＯＴＳインピーダンスと電話線との間にミスマッチ効果を生じることはない。従って、並列に置かれた異なったフィルタ手段による相互障害は非常に少ない。
【００１２】
また、後で、アクティブなＰＯＴＳ機器のインピーダンス変化は、すべて改善されたフィルタ手段によってマスクされる。
【００１３】
同様に、フィルタ手段を介してアクティブなＰＯＴＳ機器へ通過し、しばしば高い暗騒音として聞こえるＡＤＳＬ信号は、より高いフィルタ次数のフィルタ手段によってマスクされる。
【００１４】
本発明の他の特徴は、前述した第１のリアクティブフィルタ素子が第１のリアクティブタイプであり、前記第２のリアクティブフィルタ素子が前記第１のリアクティブタイプとは異なった第２のリアクティブタイプであり、前記挿入手段が前記第１のリアクティブフィルタ素子を前記第２のリアクティブフィルタ素子へ結合するように構成された電気スイッチを含むことである。
【００１５】
フィルタ手段の所定のフィルタ次数は、異なったタイプの２つのリアクティブ素子、例えばインダクタンスとキャパシタンスを結合することによって変更される。
【００１６】
更に、本発明のフィルタ構成の他の特徴は、前記第１のフィルタ・ポートが第１の端子及び第２の端子を含み、前記第２のフィルタ・ポートが第３の端子及び第４の端子を含み、前記の第１のリアクティブフィルタ素子が前記第１のフィルタ・ポートと前記第２のフィルタ・ポートとの間に結合され、前記第２のリアクティブフィルタ素子が前記第１の端子と前記第２の端子との間に結合されていることである。
【００１７】
こうして、フィルタ構成は二線式電気通信線上で動作するように特に構成されている。従って、第１のフィルタ・ポートはＰＯＴＳ機器へ一時的に接続され、第２のフィルタ・ポートは並列に置かれたすべてのフィルタの前記共通ポートを介して電気通信線へ接続される。
【００１８】
好ましくは、前記感知手段が前記第１フィルタ・ポートと第２のフィルタ・ポートとの間に結合された電流感知手段であり、前記フィルタ手段を流れる電流を、前記フィルタ構成へ与えられた電力の前記パラメータとして感知するように構成されている。
【００１９】
更なる遮蔽を必要とする前記状態は、フィルタ手段を介して流れる電流を感知することによって検出できることが発見された。
【００２０】
本発明のフィルタ構成の好ましい実施形態は、それが低域フィルタ構成であり、前記第１のリアクティブフィルタ素子が第１の変圧器及び第２の変圧器を含み、前記第２のリアクティブフィルタ素子がキャパシタンスを含み、前記感知手段が前記第１のフィルタ・ポートと第２のフィルタ・ポートとの間で前記第１及び第２の変圧器と直列に接続され、前記挿入手段の電気スイッチが前記第１の端子と第２の端子の間で前記第２のリアクティブフィルタ素子と直列に結合されていることに特徴がある。
【００２１】
更に詳細には、前記第１の端子が前記第１の変圧器の第１の巻線と、前記感知手段と、前記第２の変圧器の第１の巻線との直列接続を介して前記第３の端子に結合され、前記第２の端子が前記第１の変圧器の第２の巻線と前記第２の変圧器の第２の巻線との直列接続を介して前記第４の端子に結合され、直列結合された電気スイッチと前記第２のリアクティブフィルタ素子が、前記感知手段及び第２の変圧器の第１の巻線の接合点と、前記第１の変圧器の第２の巻線及び前記第２の変圧器の第２の巻線の接合点との間に接続されている。
【００２２】
このようにして、フィルタ手段は最初は第１のフィルタ次数を有し、この次数は感知手段が挿入手段を活性化するとき第３のフィルタ次数へ変更される。
【００２３】
更に、本発明の他の特徴は、前記感知手段が、感知された電流が所定の値を超えたかどうかを検出し、次に前記挿入手段を制御して前記電気スイッチを閉止するように構成されていることである。
【００２４】
電流は、加入者セットがオフフックされたとき一時的に所定値を超える。電気スイッチを閉止することによって、キャパシタンスがインダクタンス回路へ追加され、加入者セットに関連したフィルタ手段のフィルタ次数は、加入者セットを電気通信線からより良好に遮蔽するように増大される。
【００２５】
本発明のフィルタ構成の他の特徴は、従属請求項に記載されている。
【００２６】
本発明の前記及び他の目的並びに特徴は、添付の図面と組み合わせた実施形態の次の説明を参照することによって更に明らかとなり、本発明自体が最良に理解されるであろう。
【００２７】
【発明の実施の形態】
特定の使用分野に限定されるものではないが、本発明のフィルタ構成は、図１に示されるような非対称型加入者線ディジタル伝送「ＡＤＳＬ」方式のための分散スプリッタに特に適している。既知のように、ＡＤＳＬ方式、又はＨＤＳＬ、ＶＤＳＬ、などの同様な方式は、伝統的な銅撚り対電話線ＴＰ上で音声及び高周波信号を伝送するように構成される。より対電気通信線ＴＰの各端部には、高周波ＡＤＳＬ信号を低周波普通電話サービスＰＯＴＳ（又は音声）信号から分離する分散スプリッタが設けられる。
【００２８】
更に詳細には、顧客構内ＣＰ側においては、スプリッタＳＰ１は、電気通信線ＴＰの一端をローカルＡＤＳＬモデムＡＤＳＬｃｐのポートＬＭ１及び個々のユーザ加入者セットＰＯＴＳ１からＰＯＴＳ３の異なったローカル・ポートＬＯ１からＬＯ３へ接続するライン・ポートＬＩ１を有し、中央局ＣＯ側では、他のスプリッタＳＰ２が、電気通信線ＴＰの他の端部を、中央ＡＤＳＬモデムＡＤＳＬｃｏのポートＬＭ２及び公衆交換電気通信網ＰＳＴＮのローカル・ポートＰＯへ接続するライン・ポートＬＩ２を有する。注意すべきは、３つのＰＯＴＳ機器又はユーザ加入者セットＰＯＴＳ１〜ＰＯＴＳ３は単なる例であって、実際には任意数のＰＯＴＳ機器が共通ライン・ポートＬＩ１へ接続されてよいことである。
【００２９】
接続を確実にするために、スプリッタＳＰ１は、ライン・ポートＬＩ１及びポートＬＭ１を相互接続する高域フィルタ回路ＨＰ１と、共通ライン・ポートＬＩ１を個々のローカルＰＯＴＳ機器であるＰＯＴＳ１、ＰＯＴＳ２、ＰＯＴＳ３へそれぞれ相互接続する低域フィルタ回路ＬＰ１、ＬＰ２、ＬＰ３を含む。注意すべきは、低域フィルタ回路ＬＰ１〜ＬＰ３は一緒になって共通ライン・ポートＬＩ１を有するフィルタ構成ＦＡを構成していることである。スプリッタＳＰ２は、ポートＬＩ２及びポートＬＭ２を相互接続する高域フィルタ回路ＨＰ２を含み、またポートＬＩ２をポートＰＯに相互接続する低域フィルタ回路ＬＰ１即ちＢＰを含む。
【００３０】
本発明は、更に具体的には低域フィルタ回路ＬＰ１〜ＬＰ３を含むフィルタ構成ＦＡに関する。これらフィルタ回路の少なくとも１つは、与えられた信号のパラメータが変化する場合にフィルタ次数を変更する手段を含む。更に具体的には、この例では、加入者セットがオフフックになったために生じた電流増加が検出され、オフフックされた加入者セットに関連する低域フィルタ回路のフィルタ次数が増大される。必ずしも強制的ではないが、好ましくは、フィルタ構成ＦＡの低域フィルタ回路ＬＰ１〜ＬＰ３はそのような検出又は感知手段が設けられるべきである。すべての低域フィルタ回路ＬＰ１〜ＬＰ３は同一のものであるから、それらの１つだけを、以降一般的にＬＰとして以下に説明する。低域フィルタ回路ＬＰは図２に示される。
【００３１】
低域フィルタ回路ＬＰは、前記のローカル・ポートＬＯ１／ＬＯ３の１つに対応する第１のフィルタ・ポートＬＯと、フィルタ構成ＦＡの共通ライン・ポートＬＩ１に対応する第２のフィルタ・ポートＬＩの間に置かれる。第１のフィルタ・ポートＬＯは第１の端子ＬＯａ及び第２の端子ＬＯｂを有し、第２のフィルタ・ポートＬＩは第３の端子ＬＩａ及び第４の端子ＬＩｂを有する。低域フィルタ回路ＬＰは２つの変圧器Ｔ１及びＴ２、電流感知回路ＳＣ、電気スイッチＳＷ、並びにコンデンサＣを含む。更に具体的には、第１の端子ＬＯａは第１の変圧器Ｔ１の第１の巻線Ｌ１１、電流感知回路ＳＣ、及び第２の変圧器Ｔ２の第１の巻線Ｌ２１の直列接続を介して第３の端子ＬＩａへ接続される。第２の端子ＬＯｂは、第１の変圧器Ｔ１の第２の巻線Ｌ１２及び第２の変圧器Ｔ２の第２の巻線Ｌ２２の直列接続を介して第４の端子ＬＩｂへ接続される。既に言及したように、コイルＬ１１〜Ｌ１２、及びコイルＬ２１〜Ｌ２２は、低域フィルタ回路ＬＰの対称性を確実にするため、それぞれＴ１及びＴ２へ磁気的に結合される。
【００３２】
感知回路ＳＣは例えば継電器であり、そのコイルは変圧器Ｔ１及びＴ２の第１の巻線Ｌ１１及びＬ２１の間に接続される。継電器ＳＣの接点又は電気スイッチＳＷは、コンデンサＣと直列に、継電器のコイル及び第１の巻線Ｌ２１の接合点と、２つの第２の巻線Ｌ１２及びＬ２２の接合点との間に接続される。
【００３３】
低域フィルタ回路ＬＰは次のように動作する。
【００３４】
ゼロ又は小さな電流が低域フィルタ回路ＬＰを流れるとき、継電器ＳＣは活性化されない。すると、電気スイッチＳＷは開放され、コンデンサは回路へ接続されない。その結果、低域フィルタ回路ＬＰはコイル又はインダクタンスＬ１１、ＳＣ、Ｌ２１；Ｌ１２、Ｌ２２からのみ構成されるような外観を呈する。従って、それは第一のフィルタ・ポートＬＯ及び第二のフィルタ・ポートＬＩとの間で１次のフィルタリングを実行する。
【００３５】
電流が増加するとき、即ち、第１のフィルタ・ポートＬＯへ接続された加入者セットがオフフックになるとき、或るしきい値より上の電流を感知する継電器ＳＣが活性化される。すると、スイッチＳＷが閉止され、コンデンサＣはフィルタ回路ＬＰに挿入される。その結果、フィルタ回路ＬＰは、第一のフィルタ・ポートＬＯと第二のフィルタ・ポートＬＩの間に、コイルＬ１１／Ｌ１２、キャパシタンスＣ、及びコイルＬ２１／Ｌ２２のカスケード接続を有する。そのとき、ＬＰは３次フィルタとなる。従って、前の単極フィルタ回路は改善され、１次の低域フィルタ回路よりもはるかに良好にＰＯＴＳ機器内の好ましくないＡＤＳＬ雑音を除去する。
【００３６】
注意すべきことは、より多くのコンデンサを低域フィルタ回路ＬＰに、例えば第１と第２の端子の間及び／又は第３と第４の端子の間に挿入することができるように、継電器は更に多くの接点を有してよいことである（図示されていない）。線と並列の特別のキャパシタンスを切り換えることによって、電流検出継電器は１つのＴタイプ又はマルチプルＴタイプのフィルタを作り出す。
【００３７】
本発明の低域フィルタ回路ＬＰは、接続されたＰＯＴＳ機器の個別的な保護装置の外観を呈する。実際には、ＬＰは雄プラグで終わる短いコードを有する。その本体は約２．５ｃｍ（１インチ）の長さ及び直径を有する円筒である。本体は電話コード用の雌入力部を含む。更に、フィルタ回路ＬＰは挿入方向を全く感知しないので、誰が使用しても失敗はない。それはＰＯＴＳ機器上のプラグ又は壁のプラグに取り付けることができる。
【００３８】
最後に注意すべきこととして、図面に示されていないが、もし感知回路ＳＣが継電器から構成されるのであれば、継電器は好ましくは挿入損失を低減するためにキャパシタンスによって迂回される。更に、継電器上の迂回キャパシタンスは、信号電流が継電器を流れているとき、継電器がアクティブにならないようにする。
【００３９】
これまで、本発明の原理は特定の装置と関連させて説明されたが、この説明は、従属請求項で限定されるような本発明の範囲に対する制限ではなく、単なる例としてなされたことを明確に理解すべきである。
【図面の簡単な説明】
【図１】本発明に従ったフィルタ構成ＦＡを含むＡＤＳＬ電気通信方式の略図である。
【図２】図１のフィルタ構成ＦＡの低域フィルタ回路ＬＰ１〜ＬＰ３の１つであるＬＰの詳細を示す図である。
【符号の説明】
ＡＤＳＬｃｏ  中央ＡＤＳＬモデム
ＡＤＳＬｃｐ  ローカルＡＤＳＬモデム
ＢＰ、ＬＰ、ＬＰ１、ＬＰ２、ＬＰ３  低域フィルタ回路
Ｃ  コンデンサ
ＣＯ  中央局
ＣＰ  顧客構内
ＦＡ  フィルタ構成
ＨＰ１、ＨＰ２  高域フィルタ回路
Ｌ１１、Ｌ２１  第１の巻線
Ｌ１２、Ｌ２２  第２の巻線
ＬＩ  第２のフィルタ・ポート
ＬＩ１  共通ライン・ポート
ＬＩ２  ライン・ポート
ＬＩａ  第３の端子
ＬＩｂ  第４の端子
ＬＭ１、ＬＭ２  ポート
ＬＯ  第１のフィルタ・ポート
ＬＯ１、ＬＯ２、ＬＯ３、ＰＯ  ローカル・ポート
ＬＯａ  第１の端子
ＬＯｂ  第２の端子
ＰＯＴＳ１、ＰＯＴＳ２、ＰＯＴＳ３  ユーザ加入者セット
ＰＳＴＮ  公衆交換電気通信網
ＳＣ  電流感知回路
ＳＰ１、ＳＰ２  スプリッタ
ＳＷ  電気スイッチ
Ｔ１  第１の変圧器
Ｔ２  第２の変圧器
ＴＰ  電気通信線
【図１】
0004482177.tif 000002
【図２】
0004482177.tif 000003